(57)【要約】【課題】  当該音発生装置から挿入口への音が当該記憶媒体挿入装置内の基板によって遮られる効果を低減することを目的とする。【解決手段】  ＥＴＣ車載器１０が、ＥＴＣカードを挿入するためのカード挿入口１５を有する筐体（上部筐体１１、下部筐体１２を含む）と、筐体内に配され、筐体内を筐体下部空間２４および筐体上部空間２５に区切る基板１９と、基板１９の上面に配されたブザー２１と、を備え、さらに基板１９が、筐体上部空間２５と壁部内空間２６とを通じる穴面２３を形成する穴形成縁部２２を備え、また、ブザー２１および穴形成縁部２２を取り囲む上部筐体１１と一体成型の壁部１７を備える。【選択図】        図５
2005321619.tif 000002
【特許請求の範囲】
【請求項１】
記憶媒体を挿入するための挿入口（１５）を有する筐体（１１，１２）と、
前記筐体内に配され、前記筐体内を前記挿入口に接する第１の空間（２４）、および前記挿入口に接しない第２の空間（２５）に区切る基板（１９）と、
前記基板の前記第２の空間に面する側に配された音発生装置（２１）と、を備え、
前記基板は、前記第１の空間と第２の空間とを通じる導音面（２３）を形成する縁部（２２）を備えたことを特徴とする記憶媒体挿入装置。
【請求項２】
前記縁部と前記音発生装置の双方に同じ面を向けた、前記筐体の外壁ではない壁部（１７）を備えたことを特徴とする請求項１に記載の記憶媒体挿入装置。
【請求項３】
前記壁部は、前記筐体の前記第２の空間を覆う部分（１１）と一体成型となっていることを特徴とする請求項２に記載の記憶媒体挿入装置。
【請求項４】
前記壁部は、前記第２の空間を、前記縁部と前記音発生装置とが共に接する空間（２６）と、それ以外の空間（２７）とに隔てることを特徴とする請求項２または３に記載の記憶媒体挿入装置。
【請求項５】
前記壁部は、前記基板の前記第２の空間に面する側、および前記筐体の前記第２の空間に面する部分の両方に接しているまたはごく近接していることを特徴とする請求項２ないし４のいずれか１つに記載の記憶媒体挿入装置。
【請求項６】
前記壁部は、前記縁部および前記音発生装置をとり囲むように設けられていることを特徴とする請求項２ないし５のいずれか１つに記載の記憶媒体挿入装置
【請求項７】
前記縁部は、前記基板の表裏を通じる穴面（２３）を形成することを特徴とする請求項１ないし６のいずれか１つに記載の記憶媒体挿入装置。
【請求項８】
前記縁部は、前記音発生装置が配される位置の近傍にあることを特徴とする請求項１ないし７のいずれか１つに記載の記憶媒体挿入装置。
【請求項９】
前記縁部の位置は、前記音発生装置から前記挿入口までの間にあることを特徴とする請求項１ないし８のいずれか１つに記載の記憶媒体挿入装置。
【請求項１０】
記憶媒体を挿入するための挿入口（１５）を有する筐体（１１、１２）内に配されることで、前記筐体内を前記挿入口に接する第１の空間（２４）、および前記挿入口に接しない第２の空間（２５）に区切るようになっており、前記第２の空間に面する側に音発生装置（２１）が配されるようになっており、
前記第１の空間と第２の空間とを通じる導音面（２３）を形成する縁部（２２）を備えた基板。
【発明の詳細な説明】
【技術分野】
【０００１】
本発明は、音発生装置を有する記憶媒体挿入装置、および記憶媒体挿入装置内に配される基板に関する。
【背景技術】
【０００２】
従来、音発生装置を有し、記憶媒体を挿入するための挿入口を有する装置において、その挿入口が設けられた面のみがユーザに見えているようなものがある。例えば、ＥＴＣ（料金自動収受システム）車載器が、工場装着で最初から車両に搭載されるような場合、後付けタイプのものと異なり、車両のインストゥルメントパネル内にＥＴＣ車載器を埋め込まれ、乗員側にはＥＴＣカード挿入口の面のみが見えるようになる場合がある。
【０００３】
このような、音発生装置を有する記憶媒体挿入装置で、挿入口の設けられた面のみがユーザに見えているようなものは、スペースの都合、デザインの都合等により、挿入口以外の穴をユーザが見える側に空けることができない場合が多々ある。このような場合には、音発生装置からの音の減衰を抑え、音を効率よくユーザに聞こえるようにするために、音発生装置からの音が挿入口から外部に出るように設計することが望ましい。
【０００４】
実際、従来のＥＴＣ車載器には、ＥＴＣカードの挿入口から音発生装置の音が出るようにしているものがある。
【０００５】
図１に、このような、ＥＴＣカードの挿入口から音を出すＥＴＣ車載器１００の横断面図を示す。このＥＴＣ車載器１００は、筐体１０１、基板１０３、音発生装置であるブザー１０４、およびカードコネクタ１０５を備えている。
【０００６】
筐体１０１は、その前面（図中左側端部）にカード挿入口１０２を有している。基板１０３は筐体１０１内に固定され、ブザー１０４およびカードコネクタ１０５は、基板１０３の下面に配置されている。
【０００７】
ユーザがＥＴＣカード１０６をカード挿入口１０２から挿入すると、ＥＴＣカード１０６の端部がカードコネクタ１０５と勘合する。そしてＥＴＣ車載器１００は、このカードコネクタ１０５を介してＥＴＣカード１０６の記憶媒体にアクセスすることができるようになる。
【０００８】
このＥＴＣ車載器１００においては、カード挿入口１０２の位置が基板１０３の下側にあるので、ブザー１０４が発した音は、点線矢印１０７のような伝搬経路を通ってカード挿入口１０２から外に放出される。
【発明の開示】
【発明が解決しようとする課題】
【０００９】
上記したＥＴＣ車載器１００においては、ブザー１０４はカードコネクタ１０５と同じく基板１０３の下面に配されているが、発明者の検討によれば、必ずしもこのようにならない場合がある。
【００１０】
例えば、発生音の周波数を低くしたい場合等には、ブザー１０４の形状を図１のブザー１０４のように薄く抑えることができない場合がある。このとき、ブザー１０４の厚さを大きくすると、ブザーがカードコネクタ１０５を遮ることになり、ＥＴＣカード１０６がカードコネクタ１０５に勘合できなくなる。この解決策としては、ブザー１０４を基板１０３の上面に配することが考えられる。図２に、基板１０３の上面にブザー１０４が配されたＥＴＣ車載器１１０の横断面図を示す。
【００１１】
このような場合、筐体１０１の内部を上下に仕切り、かつこの仕切られた上部と下部とをほとんど隔絶している基板１０３が障害となり、ブザー１０４が発した音は、主に点線矢印１０８に示したような経路で伝搬する。したがって、カード挿入口１０２から放出される音の割合は基板１０３に遮られて少なくなり。結果として効率のよい音の放出ができなくなるという問題がある。
【００１２】
本発明は上記点に鑑み、音発生装置からの音を記憶媒体の挿入口から放出する記憶媒体挿入装置において、当該音発生装置から挿入口への音が当該記憶媒体挿入装置内の基板によって遮られる効果を低減することを目的とする。
【課題を解決するための手段】
【００１３】
上記目的を達成するための本発明の特徴は、記憶媒体を挿入するための挿入口（１５）を有する筐体（１１、１２）と、筐体内に配され、筐体内を挿入口に接する第１の空間（２４）、および挿入口に接しない第２の空間（２５）に区切る基板（１９）と、基板の第２の空間に面する側に配された音発生装置（２１）と、を備えた記憶媒体挿入装置（１０）の基板が、第１の空間と第２の空間とを通じる導音面（２３）を形成する縁部（２２）を備えたことである。
【００１４】
これによって、音発生装置が発した音は、第２の空間から、上記縁部が形成する導音面を通じて第１の空間に伝搬し、さらにこの第１の空間に接する挿入口を抜けて外部に出ることができる。したがって、本発明に係る記憶媒体挿入装置においては、上記したような縁部のないものに比べ、当該音発生装置から挿入口への音が当該記憶媒体挿入装置内の基板によって遮られる効果が低減される。
【００１５】
なお、基板が第１の空間および第２の空間を区切るとは、基板によって第１の空間と第２の空間とが完全に隔絶されるようになっている状態のみを含むのではない。基板が第１の空間および第２の空間を区切るとは、仮に基板を基板面に添って拡張したとするなら、その基板によって第１の空間と第２の空間とが完全に隔絶されるであろう状態をも含む。
【００１６】
また、縁部が形成する「第１の空間と第２の空間とを通じる導音面」とは、その導音面の幅、長さ、直径等、その導音面の代表的な長さが、基板の他の縁部と筐体との間にできる隙間の代表的な幅に比べて充分大きい（たとえば５倍以上）ような面をいう。
【００１７】
また、筐体とは、記憶媒体挿入装置の外部に面した部分を形成する部材をいう。
【００１８】
また、記憶媒体挿入装置は、この縁部と音発生装置の双方に同じ面を向けた、筐体の外壁とは異なる壁部（１７）を備えていてもよい。このようになっていることで、音発生装置が発した音のうち、当該壁部に向かった音は、この壁部によって反射し、その反射した音の一部は縁部に向かう。したがって、このような壁部を有する記憶媒体挿入装置では、このようになっていない記憶媒体挿入装置に比べ、音発生装置から導音面へ向かう音の量が増大する。
【００１９】
また、壁部は、筐体の第２の空間を覆う部分（１１）と一体成型となっていてもよい。このようになっていることで、壁部を別部材とする場合に比べて、記憶媒体挿入装置の部品点数が低減される。
【００２０】
また、壁部は、第２の空間を、縁部と音発生装置とが共に接する空間（２６）と、それ以外の空間（２７）とに隔てるようになっていてもよい。このようにすることで、音声発生装置から導音面へ向かう音の量が増大する。また、前記縁部と前記音発生装置とが共に接する空間以外の空間には、導音面を介した空気の流通が妨げられるので、記憶媒体挿入装置の外部から挿入口および導音面を通じて流入する湿気を帯びた空気によって、当該空間内にある回路が悪影響を及ぼされる可能性が低減される。
【００２１】
なお、「隔てる」とは、完全に隔絶すること、および完全に隔絶されてはいないが、隔てられた２つの空間との間の空気の流通が実効的に妨げられ、上記の効果が達成される程度に隔てられていることを含む概念である。
【００２２】
具体的には、壁部が、基板の第２の空間に面する側、および前記筐体の第２の空間に面する部分の両方に接しているまたはごく近接していてもよい。
【００２３】
また、壁部は、縁部および音発生装置をとり囲むように設けられていてもよい。このようにすることで、音声発生装置から導音面へ向かう音の量が増大する。なお、「とり囲む」とは、そのとり囲む対象の全周囲を囲むこと、およびその対象の部分的な周囲を囲むことの両方を含む概念である。
【００２４】
また、縁部は、基板の表裏を通じる穴面（２３）を形成するようになっていてもよい。
【００２５】
また、縁部は、音発生装置が配される位置の近傍にあってもよい。このようになっていることで、音発生装置から導音面へ向かう音の量が増大する。
【００２６】
また、縁部の位置は、音発生装置から挿入口までの間にあってもよい。このようになっていることで、音発生装置から縁部に向かった音が挿入口に向かいやすくなる。
【００２７】
また、上記した特徴を有する記憶媒体挿入装置（１０）の基板（１９）、すなわち、媒体を挿入するための挿入口（１０）を有する筐体内に配されることで、筐体内を挿入口に接する第１の空間、および挿入口に接しない第２の空間に区切るようになっており、第２の空間に面する側に音発生装置（２１）が配されるようになっており、第１の空間と第２の空間とを通じる導音面（２３）を形成するようになっている縁部（２２）を備えた基板として、本発明を実現してもよい。
【００２８】
なお、上記各構成の括弧内の符号は、後述する実施形態に記載の具体的構成との対応関係を示すものである。
【発明を実施するための最良の形態】
【００２９】
以下、本発明の一実施形態について説明する。図３に、車両の運転席周辺をドライバーズシート側から見た概略図を示す。インストゥルメントパネル１には、車両出荷時に工場装着されたＥＴＣ車載器１０が埋め込まれている。ユーザからは、ＥＴＣ車載器１０の前面しか見えないようになっている。
【００３０】
図４に、ＥＴＣ車載器１０の正面図を示す。ＥＴＣ車載器１０の正面は、ＥＴＣ車載器１０の外形を形成する上部筐体１１、上部筐体に別体として取り付けられた組み付け部１３、下部筐体に別体として取り付けられた組み付け部１４を有している。なお、本実施形態のＥＴＣ車載器１０の寸法は、組み付け部１３を除いて、高さ２ｃｍ、幅８ｃｍ、奥行き１２ｃｍ程度である。
【００３１】
上部筐体１１には、カード挿入口１５が設けられている。このカード挿入口１５にユーザがＥＴＣカード（特許請求の範囲の記憶媒体に相当する）を挿入することで、ＥＴＣ車載器１０はこのＥＴＣカードの内容を読み取ることができる。
【００３２】
組み付け部１３は、ＥＴＣ車載器１０をインストゥルメントパネル１に組み付けて固定するための、筐体とは別体として設けられた部材である。
【００３３】
図５に、ＥＴＣ車載器１０を図４のＡ−Ａ断面で切り、それを上から見た図を示す。図中左方向がＥＴＣ車載器１０の正面側に相当する。
【００３４】
筐体（上部筐体１１および下部筐体１２）内には、上からみて上部筐体１１の内壁にほぼぴったり収まるような形状の基板１９が、ネジ等の図示しない固定具によって固定されている。すなわち、基板１９の外縁と上部筐体１１の内壁との隙間はほとんどない。具体的には、基板１９の外縁と筐体との間にできる隙間の幅は、２ｍｍ以下である。
【００３５】
また、この基板１９は、その内縁にあたる穴形成縁部２２が、基板１９の表裏を通じる穴面２３を形成している。この穴形成縁部２２は、本実施形態においては、ほぼ１．５ｃｍ四方の正方形形状となっている。この長さは、上記した基板の他の縁部と筐体との間にできる隙間の代表的な幅に比べて充分大きい。
【００３６】
また、基板１９の上面の、穴形成縁部２２の近傍（例えば周囲３ｃｍ以内）には、基板上の回路等から電力の供給を受けてビープ音を発音するブザー２１が設けられている。なお、本実施形態においては、このブザー２１の発するビープ音の周波数は８００ｋＨｚである。このブザーの直径等の代表的な長さは、穴形成縁部によってできた穴面２３の代表的な長さと同程度である。
【００３７】
このブザー２１のいずれかの位置を始点とし、カード挿入口１５の形成する穴のいずれかの位置を終点とする線の中には、穴面２３を通過するものがある。従って、穴形成縁部２２の位置は、ブザー２１からカード挿入口１５までの間にあると言える。
【００３８】
また、ブザー２１および穴形成縁部２２をとり囲むように、壁部１７が設けられている。この壁部１７のそれぞれの部分は、壁部１７と穴形成縁部２２の双方に同じ面を向けている。すなわち、壁部１７のそれぞれの部分のうち、一面はブザー２１に向き、反対の面は穴形成縁部２２を向くようなもの（例えば２と穴形成縁部２２との間にその一部があるような壁部）はない。
【００３９】
また、壁部１７は、上から見て、ブザー２１および穴形成縁部２２の周囲３６０°を完全に取り囲んでいる。これによって、壁部１７は、基板１９の上側の空間を、ブザー２１および穴形成縁部２２に接する空間、およびブザー２１にも穴形成縁部２２にも接しない空間に分けている。
【００４０】
図６に、ＥＴＣ車載器１０の図４に記載のＢ−Ｂ断面図を示す。基板１９の下面には、カードコネクタ２０が取り付けられている。カード挿入口１５からＥＴＣカードが挿入されると、このＥＴＣカードの一端がカードコネクタ２０と勘合する。ＥＴＣ車載器１０は、この勘合を介してＥＴＣカードに記憶されている情報を読み出す。
【００４１】
図６に示す通り、基板１９は、筐体（上部筐体１１および下部筐体１２）内をカード挿入口１５に接する筐体下部空間２４、および挿入口に接しない筐体上部空間２５に区切る。なお、筐体下部空間２４および筐体上部空間２５とは、基板１９を基板面に添って拡張したとするなら、その基板によって完全に隔絶される２つの空間のうち、それぞれ基板１９の下側の空間および上側の空間をいう。
【００４２】
図６に示すように、先述した壁部１７は、筐体のうち、壁筐体上部空間２５を覆う部分である上部筐体１１と一体成型となっている。
【００４３】
また、壁部１７は、基板１９の筐体上部空間２５に面する側、すなわち基板１９の上面に接している、またはごく近接している。なお、ごく近接しているとは、例えば距離が２ｍｍ以下であることをいう。
【００４４】
更に先述した通り、壁部１７はブザー２１および穴形成縁部２２の周囲を完全に取り囲んでいるので、壁部１７は、筐体上部空間２５を、壁部内空間２６と壁部外空間２７との２つに区切り、それら区切った空間をほぼ隔絶している。なお、壁部内空間２６とは、ブザー２１と穴形成縁部２２とが共に接する空間をいい、壁部外空間２７は、筐体上部空間２５のうち、壁部内空間２６以外の空間をいう。
【００４５】
以上のように、ＥＴＣ車載器１０は、ＥＴＣカードを挿入するためのカード挿入口１５を有する筐体（上部筐体１１、下部筐体１２を含む）と、筐体内に配され、筐体内を筐体下部空間２４および筐体上部空間２５に区切る基板１９と、基板１９の上面に配されたブザー２１と、を備え、さらに基板１９が、筐体上部空間２５と壁部内空間２６とを通じる穴面２３を形成する穴形成縁部２２を備えている。
【００４６】
これによって、基板１９が発した音波は、筐体上部空間２５から、穴面２３を通じて筐体下部空間２４に伝搬し、さらにこの筐体下部空間２４に接するカード挿入口１５を抜けてＥＴＣ車載器１０の外部に放出される。したがって、ＥＴＣ車載器１０においては、上記したような穴形成縁部２２のないものに比べ、当該ブザー２１からカード挿入口１５への音が基板１９によって遮られる効果が低減される。
【００４７】
このように、穴面２３は、ブザー２１からの音をカード挿入口１５に導く導音面であると言える。
【００４８】
なお、この効果は、カード挿入口１５にＥＴＣカードが挿入されていない場合はもちろん、カード挿入口１５にＥＴＣカードが挿入されている場合にも発揮される。カード挿入口１５にＥＴＣカードが挿入されていても、カード挿入口１５とＥＴＣカードとの間には隙間があるからである。
【００４９】
また、ＥＴＣ車載器１０は、この穴形成縁部２２とブザー２１の双方に同じ面を向けた、筐体の外壁以外の壁部１７を備えている。このようになっていることで、ブザー２１が発した音のうち、当該壁部１７に向かった音は、この壁部１７によって反射し、その反射した音の一部は穴形成縁部２２に向かう。したがって、このような壁部１７を有するＥＴＣ車載器１０では、このようになっていないＥＴＣ車載器１０に比べ、ブザー２１から穴面２３へ向かう音の量が増大する。
【００５０】
また、壁部１７は、上部筐体１１と一体成型となっていることで、壁部１７を別部材とする場合に比べて、記憶媒体挿入装置の部品点数が低減され、製造コストが低減される。
【００５１】
また、壁部１７は、筐体上部空間２５を、壁部内空間２６および壁部外空間２７に分け隔てる。したがって、ブザー２１から穴形成縁部２２へ向かう音の量が増大する。また、壁部外空間２７には、穴形成縁部２２を介した空気の流通が妨げられる。したがって、ＥＴＣ車載器１０の外部からカード挿入口１５および穴形成縁部２２を通じて流入する湿気を帯びた空気によって、当該空間内にある狭ピッチのＩＣチップ等の電子回路が結露によるマイグレーション等の悪影響を受ける可能性が低減される。
【００５２】
また、壁部１７は、穴形成縁部２２およびブザー２１をとり囲むように設けられているので、ブザー２１から穴形成縁部２２へ向かう音の量が増大する。
【００５３】
また、穴形成縁部２２は、ブザー２１が配される位置の近傍にあるので、ブザー２１から穴形成縁部２２へ向かう音の量がそうでない場合に比べて増大する。
【００５４】
また、穴形成縁部２２の位置は、ブザー２１からカード挿入口１５までの間にあるので、ブザー２１から穴形成縁部２２に向かった音がカード挿入口１５に向かいやすくなる。したがって、このようになっていない場合に比べ、カード挿入口１５から放出されるブザー２１の音圧が大きくなる。
【００５５】
なお、上記した実施形態においては、穴形成縁部２２は穴を形成していたが、必ずしもこのようになっておらずともよい。すなわち、基板１９は、筐体下部空間２４と筐体上部空間２５とを通じる導音面を形成する縁部を有していればよいのである。例えば、図５における穴面２３が無く、基板１９の右上端に２ｃｍ四方の矩形の切り欠きが設けられていても、本発明の効果は達成される。この場合、縁部とは、この切り欠きの切り口部である。
【００５６】
また、縁部によって形成される導音面は、矩形である必要はなく、円形、星形等、どのようなものでもよい。
【００５７】
また、本実施形態においては、壁部１７は、ブザー２１および穴面２３の周囲３６０°を完全にとり囲んでいるが、必ずしもこのようになっておらずともよい。すなわち、壁部１７は、ブザー２１と穴形成縁部２２の両方に同じ面を向けていればよいのである。例えば、図５において、壁部１７が、穴形成縁部２２の図中左側、下側、右側のみを囲むようになっていてもよい。また例えば、図５において、壁部１７が、ブザー２１の図中左側、上側、右側のみを囲むようになっていてもよい。すなわち、壁部１７が、音声発生装置または縁部のいずれか一方の周囲３６０°の一部を取り囲むようになっていてもよい。
【００５８】
また壁部１７は、図５の点線に囲まれる部分３０のように、筐体上部空間２５の前方（カード挿入口１５のある側）および後方を隔てる直線の壁として形成されていてもよい。
【００５９】
また、本実施形態においては、壁部１７は、上部筐体１１と一体となっているが、必ずしもこのようになっておらずともよい。例えば、壁部１７は、上部筐体１１とは別部材のゴムや樹脂によって形成されていてもよい。
【００６０】
また、本実施形態においては、記憶媒体挿入装置として、ＥＴＣ車載器１０が例示されているが、必ずしもＥＴＣ車載器１０である必要はない。記憶媒体挿入装置としては、ＣＤ−ＲＯＭ、ＤＶＤ−ＲＯＭ、ＤＶＤ−ＲＡＭ、メモリカード等が挿入され、その内容を読み出す装置でもよい。
【図面の簡単な説明】
【００６１】
【図１】ＥＴＣカードの挿入口から音を出す従来のＥＴＣ車載器の横断面図である。
【図２】基板１０３の上面にブザー１０４が配されたＥＴＣ車載器１１０の横断面図である。
【図３】車両の運転席周辺をドライバーズシート側から見た概略図である。
【図４】ＥＴＣ車載器１０の正面図である。
【図５】ＥＴＣ車載器１０を図４のＡ−Ａ断面で切り、それを上から見た図である。
【図６】ＥＴＣ車載器１０の図４のＢ−Ｂ断面図である。
【符号の説明】
【００６２】
１…インストゥルメントパネル、１０…ＥＴＣ車載器、１１…上部筐体、
１２…下部筐体、１３…組み付け部、１４…組み付け部、１５…カード挿入口、
１７…壁部、１９…基板、２０…カードコネクタ、２１…ブザー、２２…穴形成縁部、
２３…穴面、２４…筐体下部空間、２５…筐体上部空間、２６…壁部内空間、
２７…壁部外空間、３０…点線に囲まれる部分、１００…ＥＴＣ車載器、
１０１…筐体、１０２…カード挿入口、１０３…基板、１０４…ブザー、
１０５…カードコネクタ、１０６…ＥＴＣカード、１０７、１０８…点線矢印、
１１０…ＥＴＣ車載器。
【図１】
2005321619.tif 000003
【図２】
2005321619.tif 000004
【図３】
2005321619.tif 000005
【図４】
2005321619.tif 000006
【図５】
2005321619.tif 000007
【図６】
2005321619.tif 000008